(57)【特許請求の範囲】
【請求項１】
潜水者の頭部に装備される器具に着脱可能に取付けられ送受信機能を備えた通信装置本体と、潜水者がその口部に選択的に装備するマスクに取付けられ送信機能を備えたマイク装置と、からなる水中通信装置において、上記通信装置本体とマイク装置とをワイヤレス化したことを特徴とする水中通信装置。
【請求項２】
請求項１記載の水中通信装置において、上記通信装置本体とマイク装置とを、磁界方式によってワイヤレス化したことを特徴とする水中通信装置。
【請求項３】
請求項１記載の水中通信装置において、上記通信装置本体とマイク装置とを、電波方式によってワイヤレス化したことを特徴とする水中通信装置。
【請求項４】
請求項２又は請求項３記載の水中通信装置において、通信装置本体は送受信切換スイッチを備えていて、該送受信切換スイッチを操作することにより信号を出力できるようになっていることを特徴とする水中通信装置。
【請求項５】
請求項２又は請求項３記載の水中通信装置において、マイク装置は切換スイッチを備えていて、該切換スイッチをオンすることにより、通信装置本体側の送受信切換スイッチが自動的に送信側に切換わることを特徴とする水中通信装置。
【発明の詳細な説明】
【０００１】
【産業上の利用分野】
本発明は、例えば、スキューバーダイヒング時に使用する水中通信装置に係り、特に、送受信機能を備えた通信装置本体とマイク装置との間をワイヤレス化することにより、その使いがってを向上させるとともに安全性を高めることができるように工夫したものに関する。
【０００２】
【従来の技術】
例えば、スキューバーダイビング時においては、潜水者は次のような器具を装備する。まず、圧縮空気供給ボンベがあり、この圧縮空気供給ボンベにホースを介して接続されたレギュレータがある。そして、このレギュレータが、マウスピースに取付けられている。そして、そのマウスピースを口部に装備するとともに、別途ゴーグルを装備することになる。又、マスクとゴーグルとが一体化されたフルフェイス型のものもあり、その場合には、そのフルフェイス型マスクを装備することになる。
【０００３】
又、上記したような器具を装備して潜水する際に、水上の船体との間で通信を行いたい場合がある。その場合には、まず、送受信機能を備えた通信装置本体が必要となり、且つ、マスクとマイク装置が必要となる。そして、マスクとゴーグルを装備する場合においては、通信装置本体をゴーグルに取付けるとともに、マスクにマイク装置を取付け、且つ、マイク装置と通信装置本体とを信号線で接続することになる。又、フルフェイス型マスクを使用する場合には、通信装置とマイク装置とをフルフェイス型マスクの適所に取付け、マイク装置と通信装置本体とを信号線で接続することになる。
【０００４】
【発明が解決しようとする課題】
上記したように、従来の水中通信装置の場合には、通信装置本体とマイク装置とが信号線で接続されているのが普通であり、これは、良好な通信特性を優先させる結果である。すなわち、水中通信において、充分な明瞭度を得るためには、良好な周波数特性と良好なＳ／Ｎ特性（水音等の周囲の雑音を拾わないため）の両方を得る必要があり、その為には、マイク装置をマスク内に設置して空気中（マスク内は空気雰囲気になっている）にて音声を拾音する必要があり、又、別途設けられた通信装置本体との間を信号線で接続する必要があるからである。
しかしながら、マイク装置と通信装置本体とを信号線で接続した構成の場合には、取扱が困難であるとともに安全性の面でも問題が生じていた。すなわち、接続線があることにより、それが潜水その他の作業の障害になったりしてしまい、又、接続線が視界を遮ってしまうようなこともあり、その取扱が困難であった。又、例えば、いわゆる「エアー切れ」が生じた場合には、同行して潜水している他の潜水者より、例えば、マスクを借りて呼吸しなければならないが、その場合には、まず、装備しているマスクを取り外して、上記他の潜水者の、例えば、マスクを装着する作業が必要になってくる。その際、上記接続線がそのような着脱作業の障害になってしまい、円滑な着脱作業が損なわれて安全性が低下してしまうことが懸念されるものである。
【０００５】
本発明はこのような点に基づいてなされたものでその目的とするところは、送受信機能を備えた通信装置本体とマイク装置との間をワイヤレス化することにより、その使いがってを向上させるとともに安全性を高めることができる水中通信装置を提供することにある。
【０００６】
【課題を解決するための手段】
上記目的を達成するべく本願発明による水中通信装置は、潜水者の頭部に装備される器具に着脱可能に取付けられ送受信機能を備えた通信装置本体と、潜水者がその口部に選択的に装備するマスクに取付けられ送信機能を備えたマイク装置と、からなる水中通信装置において、上記通信装置本体とマイク装置とをワイヤレス化したことを特徴とするものである。
その際、上記通信装置本体とマイク装置とを、磁界方式によってワイヤレス化することが考えられる。
又、上記通信装置本体とマイク装置とを、電波方式によってワイヤレス化することが考えられる。
又、通信装置本体に送受信切換スイッチを設け、該送受信切換スイッチを操作することにより信号を出力することが考えられる。
又、マイク装置に切換スイッチを設け、該切換スイッチをオンすることにより、通信装置本体側の送受信切換スイッチを自動的に送信側に切換えることが考えられる。
【０００７】
【作用】
すなわち、通信装置本体とマイク装置とをワイヤレス化することにより、信号線があった場合の不具合を解消せんとするものである。ワイヤレス化の具体的方策とては、磁界方式と電波方式が考えられる。
【０００８】
【実施例】
以下、図１乃至図１３を参照して本発明の第１実施例を説明する。潜水者１（図２及び図３に示す）は、まず、図１に示すような器具を装備する。すなわち、圧縮空気ボンベ３があり、この圧縮空気ボンベ３には、圧縮空気供給ホース５を介して、レギュレータ７が接続されていて、このレギュレータ７にマウスピース９が取付けられている。これらレギュレータ７及びマウスピース９は、通常の潜水時に装備するものである。これに対して、水中通信を行う場合には、別の装備に切換えることになる。
【０００９】
すなわち、圧縮空気ボンベ３には、別の圧縮空気供給ホース１１を介して、別のレギュレータ１３が接続されていて、このレギュレータ１３には、マスク１５が取付けられている。そして、このマスク１５に、本実施例による水中通信装置のマイク装置１７が取付けられているものである。
尚、図中符号１９、２１は、レギュレータ７、１３の排気ノズルである。
そして、この実施例においては、通信を行わない通常の潜水時には、レギュレータ７及びマウスピース９が一体化された側を装備していて、通信を行う場合に、レギュレータ１３とマスク１５が一体化されマイク装置１７を備えた側を装備するものである。
【００１０】
一方、図２及び図３に示すように、潜水者１は、ゴーグル２３を装備していて、このゴーグル２３の固定バンド２５には、本実施例による水中通信装置の通信装置本体２７が取付けられている。潜水者１は、ゴーグル２３は常時装備しているので、通信装置本体２７については常時装備していることになる。そして、既に説明したように、通信を行わない通常の潜水時には、図２に示すような状態となり、レギュレータ７及びマウスピース９が一体化された側を装備する。これに対して、通信時には、図３に示すような状態となり、レギュレータ１３とマスク１５が一体化されマイク装置１７を備えた側を装備する。
【００１１】
上記通信装置本体２７の外観等は、図４乃至図８に示すような状態となっており、又、マイク装置１７、マスク１５の外観等は、図９乃至図１１に示すうよな状態となっている。
【００１２】
次に、マイク装置１７と、通信装置本体２７の回路構成について説明する。まず、マイク装置１７の回路構成は図１２に示すようになっている。すなわち、電源部３１があり、この電源部３１は電池から構成されている。一方、オン・オフを切換える切換スイッチ３３があり、この切換スイッチ３３をオンすると、それが検出器３５に検出され、その検出信号が電源制御器３７に入力される。電源制御器３７は、その検出信号を入力することにより、電源部３１からの電源供給をオンにする。
【００１３】
又、マイク３９が設置されていて、このマイク３９より入力された音声信号は、利得調整機能付増幅器４１を介して、加算器４３に入力される。この加算器４３には、制御信号発生器４５から制御信号が入力され、加算器４３は、それらの信号、すなわ、音声信号と制御信号とを加算して、加算信号として増幅器４７に出力する。そして、コイル４９を介して磁気信号として水中に出力されることになる。
【００１４】
一方、通信装置本体２７の回路構成は、図１３に示すようになっている。まず、電源部５１があり、この電源部５１は電池から構成されている。この電源部５１のオン・オフは、オートスイッチ５９によって制御される。このオートスイッチ５９は、水中に浸漬すると自動的に導通する構成のものであり、よって、通信装置本体２７は、水中に浸漬することにより自動的にオンすることになり、受信状態になる。又、コイル６１があり、このコイル６１を介して、マイク装置１７側のコイル４９より出力された磁気信号が入力される。
【００１５】
上記コイル６１より磁気信号が入力されると、その内の制御信号が制御信号検出器６３によって検出され、その検出信号が送受信切換制御器６５に入力される。送受信切換制御器６５は検出信号を入力すると、送受信切換接点６７を送信側（図中実線で示す状態）に切換える。一方、磁気信号は制御信号除去器６９にも入力され、そこで制御信号が除去される。次いで、残った音声信号の分だけ利得調整機能付増幅器７１に入力され、次に、変調器７３により変調された後増幅器７５に入力される。増幅器７５にて増幅された信号は、送受信切換接点６７を介して、超音波センサ７７に入力され、そこから水中に出力される。出力された信号は、例えば、水上の船体内に設置された図示しない受信機に受信される。
【００１６】
尚、マイク装置１７側の切換スイッチ３３の操作によって、マイク装置１７側がオフになった場合にも、自動的に送受信切換接点６７が受信側に切換わる（図中仮想線で示す状態）。
そして、水上の船体内に設置された図示しない送信機より出力された信号が、超音波センサ７７によって入力され、利得調整機能付増幅器７９、復調器８１、音声信号増幅器８３、スピーカ８５を介して出力される。
【００１７】
又、通信装置本体２７側の回路には、コール音発信器８７が設置されている。そて、マイク装置１７側からの制御信号を受信した場合には、このコール音発信器８７より信号が出力され、変調器７３、増幅器７５、送受信切換接点６７、超音波センサ７７を介して、コール音（「ピー」という音）が出力される。つまり、水上の船体内においては、まず、上記コール音を受信し、次いで、潜水者１の音声を受信することになる。
又、上記コール音は、送受信切換スイッチ８０を操作することによっても出力される。よって、送受信切換スイッチ８０を操作することにより、上記コール音を１回、又は数回、又は適宜のモードで出力することにより、ある種の送信機能を発揮することもできる。
【００１８】
尚、図４乃至図１１において、上記回路構成の一部が示されており、そこには該当する符号を付してある。
又、マイク装置１７と通信装置本体２７に付いて、さらに、説明を加えると、まず、マイク装置１７と通信装置本体２７は、共に、各種電装部品を組み込んだ基板の部分をモールド成形によって樹脂内に埋設されている。そのような構成を採用することにより、多くのシール部品等を使用することなく所望の防水構造を得るものである。
又、通信装置本体２７には、図４乃至図６に示すように、ゴーグル２３の固定バンド２５が捜通するバンド捜通部９１、９３が設けられていて、これらバンド捜通部９１、９３に固定バンド２５を捜通させることにより、通信装置本体２７をコーグル２３に取付けるものである。
【００１９】
又、本実施例の場合には、基本的にワイヤレスを前提にするものであるが、有線で使用することもできるようになっている。すなわち、図４に示すように、通信装置本体２７には、接続部９５が設けられていて、一方、マイク３９に信号線９７を接続するとともに、その先端にコイル９９を取付けておけば、そのコイルを上記接続部９５に装着するだけで有線状態にすることができる。又、マイク３９の取付部１０１には、図示しない各種アダプタが取付けられるようになっいて、それら適宜のアダプタを介して、各種のマスク１５に取付けられるようになっている。
【００２０】
以上本実施例によると次のような作用・効果を奏することができる。
まず、従来の水中通信装置のように、マイク装置と通信装置本体との間に接続線が存在しない、いわゆる「ワイヤレス」の状態を実現しているので、その取扱が極めて容易であり、又、安全性も向上するものである。すなわち、通常の潜水時におけるマウスピース９を取り外して、送受信時のマスク１５に切換える場合にも、単に、口部において着脱すればよく、その際、接続線がそれら着脱作業の障害になるようなことはないからである。
又、基本的に、マイク３９としては、マスク内蔵型マイクを使用できるので、良好な周波数特性及び良好なＳ／Ｎ特性によって明瞭度の高い通信を可能にすることができる。
又、マイク装置１７側の切換スイッチ３３を操作してオンすることによって、通信装置本体２７側を自動的に送信側に切換えることができるので、送受信作業を円滑に行うことができる。
又、通信装置本体２７側の送受信切換スイッ８０を操作することによっても、同様の切換は可能であり、且つ、その場合には、コール音を適宜のモードで出力することができるので、それによってもある種の送信が可能である。例えば、潜水の初心者にあっては、マイク装置１７を使用した送信が困難な場合があり、そのような場合には、マイク装置１７を付けずに、通信装置本体２７のみを装備し、上記送受信切換スイッ８０の操作によるコール音の適宜のモードで出力によって通信を行うことができる。
又、通常、潜水者１の口部と耳部との距離は２０ｃｍ前後であり又、この実施例のように、磁界方式を使用した場合の通信可能距離は大凡５０ｃｍ以下である。よって、上記２０ｃｍ前後という数字に対して充分に機能するものであるとともに、逆に、５０ｃｍ以上の距離では効果的に機能しないので、近隣の他の潜水者１に影響を与えるようなこもない。
【００２１】
次に、図１４及び図１５を参照して本発明の第２実施例を説明する。前記第１実施例の場合には、磁界方式によってワイヤレスを実現したが、これを電波方式によって実現してもよく、それを示すのがこの第２実施例である。
図１４はマイク装置１７側の回路構成を示しており、図１５は通信装置本体２７側の回路構成を示している。マイク装置１７側から説明すると、切換スイッチ１０１を操作すると、検出器１０３が検出し、それによって、電源制御器１０５は、電源部１０７のオン・オフを制御する。又、マイク１０９より入力された音声信号は、利得調整機能付増幅器１１１、変調器１１３、増幅器１１５、アンテナ１１７を介して、電波信号として出力される。
【００２２】
一方、通信装置本体２７の回路構成であるが、まず、電源部１２１があり、この電源部１２１は電池から構成されている。この電源部１２１のオン・オフは、オートスイッチ１２３によって制御される。このオートスイッチ１２３は、水中に浸漬すると自動的に導通する構成のものであり、よって、通信装置本体２７は、水中に浸漬することにより自動的にオンすることになり、受信状態になる。又、アンテナ１２５があり、このアンテナ１２５を介して、マイク装置１７側のアンテナ１１７より出力された電波信号が入力される。
【００２３】
上記アンテナ１２５より電波信号が入力されると、高周波増幅器１２７に入力され、そこから、キャリアレベル検出器１２９、復調器１３１に夫々出力される。キャリアレベル検出器１２９からの信号が送受信切換制御器１３３に入力される。送受信切換制御器１３３は信号を入力すると、送受信切換接点１３５を送信側（図中実線で示す状態）に切換える。一方、復調器１３１に入力された信号は、利得調整機能付増幅器１３７に入力され、次に、変調器１３９により変調された後増幅器１４１に入力される。増幅器１４１にて増幅された信号は、送受信切換接点１３５を介して、超音波センサ１４３に入力され、そこから水中に出力される。出力された信号は、例えば、水上の船体内に設置された図示しない受信機に受信される。
【００２４】
尚、マイク装置１７側の切換スイッチ１０１の操作によって、マイク装置１７側がオフになった場合にも、自動的に送受信切換接点１３５が受信側に切換わる（図中仮想線で示す状態）。
そして、水上の船体内に設置された図示しない送信機より出力された信号が、超音波センサ１４３によって入力され、利得調整機能付増幅器１４７、復調器１４９、音声信号増幅器１５１、スピーカ１５３を介して出力される。
【００２５】
又、通信装置本体２７側の回路には、コール音発信器１５５が設置されている。そて、マイク装置１７側からの信号を受信した場合には、このコール音発信器１５５より信号が出力され、変調器１３９、増幅器１４１、送受信切換接点１３５、超音波センサ１４３を介して、コール音（「ピー」という音）が出力される。つまり、水上の船体内においては、まず、上記コール音を受信し、次いで、潜水者１の音声を受信することになる。
又、上記コール音は、送受信切換スイッチ１４５を操作することによっても出力される。よって、送受信切換スイッチ１４５を操作することにより、上記コール音を１回、又は数回、又は適宜のモードで出力することにより、ある種の送信機能を発揮することもできる。
【００２６】
よって、この実施例のよう電波方式によっても、所望のワイヤレス構造を実現することができ、前記第１実施例の場合と同様の効果を奏することができる。
【００２７】
次に、図１６を参照して本発明の第３実施例を説明する。この場合には、マスク１５に左右一対の噛み締め部１７１、１７３を設けたものであり、それによって、マスク１５を保持することができるようになる。
【００２８】
【発明の効果】
以上詳述したように本発明による水中通信装置によると、まず、従来の水中通信装置のように、マイク装置と通信装置本体との間に接続線が存在しない、いわゆる「ワイヤレス」の状態を実現しているので、その取扱が極めて容易であり、又、安全性も向上するものである。すなわち、通常の潜水時におけるマウスピースを取り外して、送受信時のマスクに切換える場合にも、単に、口部において着脱すればよく、その際、接続線がそれら着脱作業の障害になるようなことはないからである。
又、基本的に、マイクとしては、マスク内蔵型マイクを使用できるので、良好な周波数特性及び良好なＳ／Ｎ特性によって明瞭度の高い通信を可能にすることができる。
又、マイク装置側の切換スイッチを操作してオンすることによって、通信装置本体側を自動的に送信側に切換えることができるので、送受信作業を円滑に行うことができる。
又、通信装置本体側の送受信切換スイッチを操作することによっても、同様の切換は可能であり、且つ、その場合には、コール音を適宜のモードで出力することができるので、それによってもある種の送信が可能である。
【図面の簡単な説明】
【図１】本発明の第１実施例を示す図で潜水装備及びマイク装置の構成を示す図である。
【図２】本発明の第１実施例を示す図で通常の潜水時の様子を示す図である。
【図３】本発明の第１実施例を示す図で通信時の様子を示す図である。
【図４】本発明の第１実施例を示す図で通信装置本体の背面図である。
【図５】本発明の第１実施例を示す図で通信装置本体を一部切欠いて示す側面図である。
【図６】本発明の第１実施例を示す図で図５の一部を詳細に示す図である。
【図７】本発明の第１実施例を示す図で通信装置本体の正面図である。
【図８】本発明の第１実施例を示す図で通信装置本体の内部を示す図である。
【図９】本発明の第１実施例を示す図でマスクとマイク装置の構成を示す図である。
【図１０】本発明の第１実施例を示す図でマスクの構成を示す斜視図である。
【図１１】本発明の第１実施例を示す図でマスクの構成を示す正面図である。
【図１２】本発明の第１実施例を示す図でマイク装置の回路構成を示す図である。
【図１３】本発明の第１実施例を示す図で通信装置本体の回路構成を示す図である。
【図１４】本発明の第２実施例を示す図でマイク装置の回路構成を示す図である。
【図１５】本発明の第２実施例を示す図で通信装置本体の回路構成を示す図である。
【図１６】本発明の第３実施例を示す図でマスク及びマイク装置の構成を示す図である。
【符号の説明】
１５  マスク
１７  マイク装置
２３  ゴーグル
２５  ゴーグルの固定バンド
２７  通信装置本体
３３  切換スイッチ
３９  マイク
４９  コイル
６１  コイル
６７  送受信切換接点
７９  送受信切換スイッチ
【図１】
0003566775.tif 000002
【図２】
0003566775.tif 000003
【図３】
0003566775.tif 000004
【図４】
0003566775.tif 000005
【図５】
0003566775.tif 000006
【図６】
0003566775.tif 000007
【図７】
0003566775.tif 000008
【図８】
0003566775.tif 000009
【図９】
0003566775.tif 000010
【図１０】
0003566775.tif 000011
【図１１】
0003566775.tif 000012
【図１２】
0003566775.tif 000013
【図１３】
0003566775.tif 000014
【図１４】
0003566775.tif 000015
【図１５】
0003566775.tif 000016
【図１６】
0003566775.tif 000017